(57)【要約】【課題】情報を選択・編集して利用者に提供するいわゆるクリッピングサービスにおいて、情報提供者側の意図を反映させることのできるクリッピングサービス提供装置を提供する。【解決手段】利用者の希望に応じて選択された項目を利用者毎に記憶する選択項目記憶手段を具備し、情報提供者の情報提供装置から提供される複数の項目の情報のうち、前記選択項目記憶手段に記憶された項目を選択して利用者端末装置に提供するクリッピングサービス提供サーバ１０１において、項目の選択に関する前記情報提供者側の意向を表す情報提供者側意向情報を提供情報設定端末装置から受け取り、該情報提供者側意向情報に応じて、前記選択項目記憶手段に記憶される項目を決定又は変更する意向反映手段を具備する。【選択図】　　　図１
2004038281.tif 000002
【特許請求の範囲】
【請求項１】
利用者の希望に応じて選択された項目を利用者毎に記憶する選択項目記憶手段を具備し、情報提供者の情報提供装置から提供される複数の項目の情報のうち、前記選択項目記憶手段に記憶された項目を選択して利用者端末装置に提供するクリッピングサービス提供装置において、
項目の選択に関する前記情報提供者側の意向を表す情報提供者側意向情報を提供情報設定端末装置から受け取り、該情報提供者側意向情報に応じて、前記選択項目記憶手段に記憶される項目を決定又は変更する意向反映手段を具備することを特徴とするクリッピングサービス提供装置。
【請求項２】
前記情報提供装置は金融機関が提供する金融情報を提供するものであり、
前記利用者は前記金融機関の顧客であって、前記金融情報には当該顧客固有の情報が含まれるものである
ことを特徴とする請求項１に記載のクリッピングサービス提供装置。
【請求項３】
前記情報提供者側意向情報は、利用者が選択した項目と、当該項目とあわせて利用者に提供されるべき他の項目とを関連付ける項目関連付け情報であることを特徴とする請求項１に記載のクリッピングサービス提供装置。
【請求項４】
通信ネットワークを介してそれぞれ相互に通信可能なクリッピングサービス提供装置と情報提供装置と提供情報設定端末装置とからなるクリッピングサービス提供システムであって、
前記クリッピングサービス提供装置は、利用者の希望に応じて選択された項目の情報を利用者端末装置から受け取って利用者毎に記憶する選択項目記憶手段と、項目の選択に関する前記情報提供者側の意向を表す情報提供者側意向情報を提供情報設定端末装置から受け取り該情報提供者側意向情報に応じて前記選択項目記憶手段に記憶される項目を決定又は変更する意向反映手段とを具備し、
前記提供情報設定端末装置は、前記情報提供者側意向情報の入力を受け付けて、前記クリッピングサービス提供装置に対して該情報提供者側意向情報を渡すものであり、
前記情報提供装置は、前記クリッピングサービス提供装置からの要求に応じて特定の利用者向けの情報を前記クリッピングサービス提供装置に対して提供し、
前記クリッピングサービス提供装置は、前記選択項目記憶手段に記憶された項目に応じて、前記情報提供装置から提供を受けた情報のうち必要な項目の情報を選択し、この選択後の情報を前記利用者端末装置に対して提供する
ことを特徴とするクリッピングサービス提供システム。
【請求項５】
利用者の希望に応じて選択された項目を利用者毎に記憶する選択項目記憶手段に記憶させ、情報提供者の情報提供装置から提供される複数の項目の情報のうち、前記選択項目記憶手段に記憶された項目を選択して利用者端末装置に提供するクリッピングサービス提供方法において、
項目の選択に関する前記情報提供者側の意向を表す情報提供者側意向情報を提供情報設定端末装置から受け取り、該情報提供者側意向情報に応じて、前記選択項目記憶手段に記憶される項目を決定又は変更する意向反映過程を有することを特徴とするクリッピングサービス提供方法。
【請求項６】
通信ネットワークを介してそれぞれ相互に通信可能なクリッピングサービス提供装置と情報提供装置と提供情報設定端末装置とを用いて利用者端末装置に対してクリッピングサービスを提供するクリッピングサービス提供方法であって、
前記クリッピングサービス提供装置が、利用者の希望に応じて選択された項目の情報を利用者端末装置から受け取って利用者毎に前記クリッピングサービス提供装置が備える選択項目記憶手段に記憶させる選択項目記憶過程と、
前記提供情報設定端末装置が、項目の選択に関する前記情報提供者側の意向を表す情報提供者側意向情報の入力を受け付けて、前記クリッピングサービス提供装置に対して該情報提供者側意向情報を渡す意向入力過程と、
前記クリッピングサービス提供装置が備える意向反映手段が、前記情報提供者側意向情報を提供情報設定端末装置から受け取り該情報提供者側意向情報に応じて前記選択項目記憶手段に記憶される項目を決定又は変更する意向反映過程と、
前記情報提供装置が、前記クリッピングサービス提供装置からの要求に応じて特定の利用者向けの情報を前記クリッピングサービス提供装置に対して提供する元情報提供過程と、
前記クリッピングサービス提供装置が、前記選択項目記憶手段に記憶された項目に応じて、前記情報提供装置から提供を受けた情報のうち必要な項目の情報を選択し、この選択後の情報を前記利用者端末装置に対して提供するクリッピング済情報提供過程と
を有することを特徴とするクリッピングサービス提供方法。
【発明の詳細な説明】
【０００１】
【発明の属する技術分野】
この発明は、主としてインターネットなどの通信ネットワークを介して取得可能な情報の一部を提供するクリッピングサービス提供装置、そのシステム、およびそに関する。
【０００２】
【従来の技術】
ユーザ毎に情報を編集して提供する技術は、例えば特開２００１−３１２５０９号公報に記載されている。ここに記載されている技術によれば、電子情報配信システムは、取得された電子情報を蓄える情報データベースと、各ユーザについて電子情報の中から必要な情報を選択するための選択情報を格納する選択情報格納手段と、情報データベースに蓄えられた情報の中から選択情報を用いて各ユーザについての必要な情報を検索して編集する編集手段と、編集された情報を各ユーザ毎に格納するユーザ編集情報格納手段と、ユーザ編集情報格納手段に格納された情報をネットワークを介して各ユーザに送信する送信手段とを有して構成されている。また、その具体的な実施形態が同公報に記載されている。
【０００３】
【発明が解決しようとする課題】
ところが、上記のような従来技術では、情報の提供を受ける利用者側の要求・意向のみによって情報の選択・編集が行われ、もとの情報を提供する機関の意向は選択・編集には反映されないという問題があった。つまり、もとの情報を提供する側は、独自の戦略・方針に基づいて提供情報を構成し、その情報を通信ネットワークなどを介して利用者に提供しようとするにも関わらず、その情報提供者の意向を無視して情報の選択・編集が行われると、その情報提供者の利益を損なう場合があり得る。一例としては、情報提供者が提供するマーケティング情報や宣伝情報などが選択・編集の段階でカットされてしまうと、それが利用者に伝わらず、情報提供者がかけたコストや手間が無駄になってしまう。
【０００４】
本発明は上記のような事情を考慮してなされたものであり、情報を選択・編集して利用者に提供するいわゆるクリッピングサービスにおいて、情報提供者側の意図を反映させることのできるクリッピングサービス提供装置、システム、および方法を提供することを目的とする。
【０００５】
【課題を解決するための手段】
上記の課題を解決するために、本発明は、利用者の希望に応じて選択された項目を利用者毎に記憶する選択項目記憶手段を具備し、情報提供者の情報提供装置から提供される複数の項目の情報のうち、前記選択項目記憶手段に記憶された項目を選択して利用者端末装置に提供するクリッピングサービス提供装置において、項目の選択に関する前記情報提供者側の意向を表す情報提供者側意向情報を提供情報設定端末装置から受け取り、該情報提供者側意向情報に応じて、前記選択項目記憶手段に記憶される項目を決定又は変更する意向反映手段を具備することを特徴とするものである。
また、本発明においては、前記情報提供装置は金融機関が提供する金融情報を提供するものであり、前記利用者は前記金融機関の顧客であって、前記金融情報には当該顧客固有の情報が含まれるものである。
また、本発明のクリッピングサービス提供システムにおいては、前記情報提供者側意向情報は、利用者が選択した項目と、当該項目とあわせて利用者に提供されるべき他の項目とを関連付ける項目関連付け情報であることを特徴とする。
【０００６】
また、本発明のクリッピングサービス提供システムは、通信ネットワークを介してそれぞれ相互に通信可能なクリッピングサービス提供装置と情報提供装置と提供情報設定端末装置とからなるクリッピングサービス提供システムであって、前記クリッピングサービス提供装置は、利用者の希望に応じて選択された項目の情報を利用者端末装置から受け取って利用者毎に記憶する選択項目記憶手段と、項目の選択に関する前記情報提供者側の意向を表す情報提供者側意向情報を提供情報設定端末装置から受け取り該情報提供者側意向情報に応じて前記選択項目記憶手段に記憶される項目を決定又は変更する意向反映手段とを具備し、前記提供情報設定端末装置は、前記情報提供者側意向情報の入力を受け付けて、前記クリッピングサービス提供装置に対して該情報提供者側意向情報を渡すものであり、前記情報提供装置は、前記クリッピングサービス提供装置からの要求に応じて特定の利用者向けの情報を前記クリッピングサービス提供装置に対して提供し、前記クリッピングサービス提供装置は、前記選択項目記憶手段に記憶された項目に応じて、前記情報提供装置から提供を受けた情報のうち必要な項目の情報を選択し、この選択後の情報を前記利用者端末装置に対して提供することを特徴とするものである。
【０００７】
また、本発明のクリッピングサービス提供方法は、利用者の希望に応じて選択された項目を利用者毎に記憶する選択項目記憶手段に記憶させ、情報提供者の情報提供装置から提供される複数の項目の情報のうち、前記選択項目記憶手段に記憶された項目を選択して利用者端末装置に提供するクリッピングサービス提供方法において、項目の選択に関する前記情報提供者側の意向を表す情報提供者側意向情報を提供情報設定端末装置から受け取り、該情報提供者側意向情報に応じて、前記選択項目記憶手段に記憶される項目を決定又は変更する意向反映過程を有することを特徴とするものである。
また、本発明のクリッピングサービス提供方法は、通信ネットワークを介してそれぞれ相互に通信可能なクリッピングサービス提供装置と情報提供装置と提供情報設定端末装置とを用いて利用者端末装置に対してクリッピングサービスを提供するクリッピングサービス提供方法であって、前記クリッピングサービス提供装置が、利用者の希望に応じて選択された項目の情報を利用者端末装置から受け取って利用者毎に前記クリッピングサービス提供装置が備える選択項目記憶手段に記憶させる選択項目記憶過程と、前記提供情報設定端末装置が、項目の選択に関する前記情報提供者側の意向を表す情報提供者側意向情報の入力を受け付けて、前記クリッピングサービス提供装置に対して該情報提供者側意向情報を渡す意向入力過程と、前記クリッピングサービス提供装置が備える意向反映手段が、前記情報提供者側意向情報を提供情報設定端末装置から受け取り該情報提供者側意向情報に応じて前記選択項目記憶手段に記憶される項目を決定又は変更する意向反映過程と、前記情報提供装置が、前記クリッピングサービス提供装置からの要求に応じて特定の利用者向けの情報を前記クリッピングサービス提供装置に対して提供する元情報提供過程と、前記クリッピングサービス提供装置が、前記選択項目記憶手段に記憶された項目に応じて、前記情報提供装置から提供を受けた情報のうち必要な項目の情報を選択し、この選択後の情報を前記利用者端末装置に対して提供するクリッピング済情報提供過程とを有することを特徴とするものである。
【０００８】
【発明の実施の形態】
以下、図面を参照しこの発明の一実施形態について説明する。
図１は、本実施形態によるクリッピングサービス提供システム全体の構成を示す概略図である。図１において、符号１０１は、金融機関が提供する金融情報をクリッピングして利用者に提供するサービスを行うクリッピングサービス提供サーバ（クリッピングサービス提供装置）である。１０２は、金融機関がウェブなどの技術を用いて金融情報を利用者に提供するための金融情報提供サーバ（情報提供装置）である。１０３は、金融機関が上記のクリッピングサービス提供サーバ１０１に対して設定を行うための提供情報設定端末（提供情報設定端末装置）である。なお、図示するように、複数の金融機関がそれぞれ金融情報提供サーバ１０２と提供情報設定端末１０３とを有している。１０４は、利用者が金融情報を取得するために用いる利用者端末（利用者端末装置）である。これら、クリッピングサービス提供サーバ１０１と、金融情報提供サーバ１０２と、提供情報設定端末１０３と、利用者端末１０４とは、通信ネットワーク１１０を介して相互に通信を行えるようになっている。
なお、利用者端末１０４としては、例えばパーソナルコンピュータや携帯電話端末などを用いる。また、通信ネットワーク１１０としては、例えばインターネットや移動体通信網などを用いる。
【０００９】
金融情報提供サーバ１０２は、当該金融機関の顧客が利用する利用者端末１０４に対して、その顧客に関する取引状況の情報や、金融機関が提供するサービスあるいは商品の情報など、各種の情報を提供している。顧客は、利用者端末１０４から利用者識別情報（ＩＤ）と認証情報（パスワードなど）を入力することにより、金融情報提供サーバ１０２が提供する情報を利用者端末１０４に表示させることができるようになっている。
【００１０】
図２は、顧客がクリッピングサービスを利用しない場合に、金融情報提供サーバ１０２から提供される情報が利用者端末１０４に表示されている画面の一例を示す概略図である。図２に示す例では、５個の項目の情報が画面に表示されている。項目１は、金融機関から利用者への一般的なメッセージであり、「いつも○○銀行をご利用いただき、・・・」という文章が表示されている。項目２は、当該利用者の口座の残高情報であり、「１２３，４５６，７８９円」という金額が表示されている。項目３は、当該利用者の口座の最近の取引履歴であり、表形式での表示がされている。項目４は、その取引履歴に対応した残高の推移の情報であり、グラフ形式で表示されている。項目５は、金融機関が推奨する新商品の説明であり、「当銀行の新しいタイプの定期預金を・・・」という文章が表示されている。
【００１１】
次に、上述したような金融機関が提供する情報を、クリッピングするための手順について説明する。図３は、情報をクリッピングするための処理シーケンスを示すラダー図である。
図３に示すように、まずステップＳ１において、利用者端末１０４からクリッピングサービス提供サーバ１０１に対して、クリッピングサービスを受けるための登録情報が送信される。この登録情報には、利用者を識別するための情報や、金融情報提供サーバ１０２のアドレス情報（具体的にはＵＲＬ（ユニフォームリソースロケータ）など）や、当該利用者の情報を金融情報提供サーバから取得するために必要な認証情報（具体例としてはＩＤとパスワード）などが含まれる。さらに、この登録情報には、クリッピング設定の情報も含まれる。このクリッピング設定の情報とは、金融情報提供サーバ１０２が提供する情報項目（前記の項目１〜項目５）のうち、利用者がどの情報項目をクリッピング（選択切抜き）して提供してほしいと希望するかを表す設定情報である。このユーザが希望する情報項目を表す設定情報は、利用者毎に選択項目記憶部（選択項目記憶手段）に記憶される。
次に、ステップＳ２において、クリッピングサービス提供サーバ１０１が金融情報提供サーバ１０２に対して情報要求を送信する。このとき、クリッピングサービス提供サーバ１０１は、ステップＳ１で利用者端末から受け取った上記認証情報を用いることによって、当該利用者になりかわって金融情報提供サーバ１０２に対する情報の要求を行う。
次に、ステップＳ３において、金融情報提供サーバ１０２は、クリッピングサービス提供サーバ１０１から要求された情報の提供を行う。この情報は、当該利用者固有の取引状況などを含んだ情報であって、具体的には、図２に示した画面例と等価な情報を例えばＨＴＭＬ（ハイパーテキストマークアップ言語）などの形式で表現したものである。そして、クリッピングサービス提供サーバ１０１は、金融情報提供サーバ１０２から受け取った情報の構造を解析し、この情報が前記項目１〜項目５（図２参照）の各項目からなるものであることを把握する。
【００１２】
次に、ステップＳ４において、クリッピングサービス提供サーバ１０１は、提供情報設定端末１０３に対してクリッピング設定の提示を行う。このとき、クリッピングサービス提供サーバ１０１は、ステップＳ３において金融情報提供サーバ１０２から受け取った情報の解析結果にもとづき、項目１〜項目５それぞれをひとかたまりの情報としてクリッピング設定の提示を行う。そして、これにより、この提示を受けた提供情報設定端末１０３側で、項目１〜項目５それぞれを単位として設定を行えるようにする。また、このとき、ステップＳ１において利用者端末１０４から登録されたクリッピング設定の情報をあわせて提示するようにする。
次に、ステップＳ５において、上記提示を受けた金融機関側担当者の操作により、提供情報設定端末１０３からクリッピングサービス提供サーバ１０１に対して設定の変更登録の情報が送られる。この設定の変更登録の情報とは、ステップＳ１において利用者が登録したクリッピング設定の情報の一部を変更するものである。例えば、項目１〜項目５のうち、利用者が項目２（口座の残高情報）の情報のみをクリッピングして提供してほしいと希望した場合において、金融機関側担当者は、この項目２の情報に加えて項目５（新商品の説明）の情報も一緒に提供するように登録を変更することができる。例えば、提供情報設定端末１０３上で項目２と項目５とを結合する操作を行うことによって、このような登録変更を可能とする。
つまり、クリッピングサービス提供サーバ１０１内に設けられた意向反映処理部（図示せず，意向反映手段）が、上記のような金融機関側の意向に応じて項目同士を関連付けた情報（項目関連付け情報、情報提供者側意向情報）を、提供情報設定端末１０３から受け取り、この情報を用いて選択項目記憶部に記憶される項目を変更／決定する。
上記ステップＳ５までの処理によって、利用者端末１０４に対してクリッピングサービスを提供する準備が完了する。
【００１３】
そして、ステップＳ６において、利用者の操作に応じて、利用者端末１０４からクリッピングサービス提供サーバ１０１に対して、クリップされた情報の要求が行われる。
この要求に応じて、ステップＳ７において、クリッピングサービス提供サーバ１０１は、その時点での最新情報の要求を金融情報提供サーバ１０２に対して送信する。そしてこの要求に応じて、ステップＳ８において、金融情報提供サーバ１０２は、当該利用者に関する情報を提供する。このとき金融情報提供サーバ１０２が提供する情報は、図２に示した画面例と等価な情報をＨＴＭＬなどの形式で表現したものである。金融情報提供サーバ１０２から情報提供を受けたクリッピングサービス提供サーバ１０１は、上のステップＳ１およびＳ５で設定／変更されたクリッピング設定の情報に応じて情報のクリッピングを行う。そして、ステップＳ９において、クリッピングサービス提供サーバ１０１から利用者端末１０４に対してクリップされた情報の提供が行われる。すなわち、クリッピングサービス提供サーバ１０１は、前記の選択項目記憶部に記憶された項目に応じて、金融情報提供サーバ１０２提供を受けた情報のうち必要な項目の情報を選択し、この選択後の情報を利用者端末１０４に対して提供する。
【００１４】
なお、図３に示す例では、単一の金融情報提供サーバ１０２から情報の提供を受けてその情報のクリッピングを行う手順を示したが、実際には、複数の金融情報提供サーバ１０２から情報の提供を受けて、それらのそれぞれの情報のクリッピングを行い、それら複数の金融情報提供サーバ１０２から得られた結果をとりまとめて利用者端末１０４に提供するようにしても良い。
複数の金融情報提供サーバを対象とする具体的な手順は次の通りである。すなわち、ステップＳ１〜Ｓ５の設定の処理は予め各金融情報提供サーバ１０２毎に（つまり金融機関毎に）行っておく。そして、ステップＳ６の要求に応じて、クリッピングサービス提供サーバ１０１が、各金融情報提供サーバ１０２に対してステップＳ７の情報要求を行い、ステップＳ８の情報提供を受ける。そして、クリッピングサービス提供サーバ１０１は、それぞれの金融情報提供サーバ１０２から受け取った情報を各々の設定に応じてクリッピングするとともに、これら複数の金融情報提供サーバ１０２から得た情報をとりまとめて利用者端末１０４に送る。
【００１５】
次に、提供情報設定端末における設定の変更登録の方法について説明する。図４は、提供情報設定端末において設定の変更登録を行う際の画面表示例を示す概略図である。図４に示す画面には、図２を用いて説明した項目１〜項目５の情報がそれぞれ表示されており、そのうち項目２と項目５とが選択されて他の項目と違う色で表示されている。この項目の選択は、例えばポインティングデバイスであるマウスに付いている左ボタンを操作者が押すことによって行うことができるようになっている。そして、項目２と項目５が選択されている状態で、例えばマウスについている右ボタンを押すことによって「クリッピング設定メニューが表示され、このメニューから操作者が「選択された項目を結合する」を押すことによって、項目２と項目５とが相互に関連付けられる。このような関連付けが行われることによって、利用者が項目２を切り取って提供してもらうことを希望した場合に、項目５も同時に切り取られて利用者に対して提供されるようになる。
【００１６】
次に、クリッピングサービス提供サーバから利用者端末に対して最終的に提供される情報の例について説明する。図５は、クリッピングサービス提供サーバによってクリップされ利用者端末に提供された情報の画面表示例を示す概略図である。図５に示す画面例では、「○○銀行」の金融情報提供サーバから提供された情報のうち、クリッピングサービス提供サーバによって切り取られた項目２および項目５の情報が表示されている。このように項目２と項目５の情報のみが選択されて表示される理由は、前述の通り、利用者が項目２のみを表示するように設定するとともに、金融機関が項目２と項目５を相互に関連付ける設定を行っていたためである。また同画面にはさらに、他の金融機関である「△△証券」の金融情報提供サーバから提供された情報のうち、クリッピングサービス提供サーバによって切り取られた項目１２の情報（「ＭＲＦ残高情報」）が表示されている。以下、さらに他の金融機関の金融情報提供サーバから提供された情報（図示せず）が同画面に表示される。
【００１７】
上述のクリッピングサービス提供サーバ、金融情報提供サーバ、提供情報設定端末、および利用者端末は、それぞれコンピュータを用いて実現されている。そして、上述したクリッピングサービス提供の過程は、各サーバ上又は各端末上のＣＰＵ（中央処理装置）で実行されるプログラムの形式でコンピュータ読み取り可能な記録媒体に記憶されており、このプログラムをＣＰＵが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００１８】
以上、図面を参照してこの発明の実施形態を詳述してきたが、具体的な構成はこれらの実施形態に限られるものではなく、この発明の要旨を逸脱しない範囲の設計等も含まれる。
例えば、図３に示した手順では、ステップＳ１において利用者が設定した情報項目に応じてステップＳ５において金融機関が設定の変更（複数の項目の結合）を行うこととしたが、個々の利用者が設定を行う前に事前にどの項目とどの項目とを結合するかを金融機関の提供情報設定端末からクリッピングサービス提供サーバに設定登録することができるようにしても良い。
【００１９】
【発明の効果】
以上説明したように、請求項１、請求項４、請求項５、請求項６に記載の発明によれば、意向反映手段が、情報提供者側の意向を表す情報提供者側意向情報を受け取り、この情報に応じて選択項目記憶手段に記憶される項目を決定あるいは変更する。従って、情報提供者側の意向を反映した情報の選択・編集が可能となり、情報提供者の利益を損なうような情報の選択・編集が利用者側の都合のみによって勝手に行われることを防ぐことができる。
また、請求項２に記載の発明によれば、情報提供装置は金融機関が提供する金融情報を提供するものであり、また、利用者はこの金融機関の顧客であって、前記金融情報には当該顧客固有の情報が含まれるものであるため、例えば、顧客固有の口座情報等をウェブによって提供するいわゆるホームバンキングやホームトレードのシステムをクリッピングするときにも、金融機関側の意向を反映したクリッピングサービスの提供が可能となる。
【００２０】
また、請求項３に記載の発明によれば、利用者が選択した項目と、当該項目とあわせて利用者に提供されるべき他の項目とを関連付ける項目関連付け情報を情報提供者側の意向として用いることができる。
【図面の簡単な説明】
【図１】この発明の一実施形態によるクリッピングサービス提供システム全体の構成を示す概略図である。
【図２】同実施形態において、金融情報提供サーバから提供される情報の画面表示例を示す概略図である。
【図３】同実施形態における情報クリッピングサービス提供のための処理シーケンスを示すラダー図である。
【図４】同実施形態による提供情報設定端末において設定の変更登録を行う際の画面表示例を示す概略図である。
【図５】同実施形態によるクリッピングサービス提供サーバから利用者端末に提供される情報の画面表示例を示す概略図である。
【符号の説明】
１０１　クリッピングサービス提供サーバ
１０２　金融情報提供サーバ
１０３　提供情報設定端末
１０４　利用者端末
１１０　通信ネットワーク
【図１】
2004038281.tif 000003
【図２】
2004038281.tif 000004
【図３】
2004038281.tif 000005
【図４】
2004038281.tif 000006
【図５】
2004038281.tif 000007